(57)【特許請求の範囲】
【請求項１】
１枚以上の原稿用紙から構成される原稿であって、ユーザが指定した前記原稿を当該ユーザの指示に応じて読み取る画像形成装置と、前記画像形成装置により読み取られた前記原稿の画像情報を受信する情報処理装置とを含み、画像情報を扱う他のシステムに対して前記画像形成装置により読み取られた前記原稿の画像情報を前記情報処理装置によって送信する画像情報入力システムであって、
前記原稿が読み取られることにより生成された前記原稿の画像情報を取得する画像情報取得部と、
前記原稿の画像情報において、読み取られた前記１枚以上の原稿用紙の夫々が読み取られる順番を示す読取順情報と、当該原稿用紙が読み取られることにより生成された片面単位の画像情報とを関連付けた書面情報を生成する書面情報生成部と、
前記画像情報と、前記書面情報とを前記他のシステムに送信する情報送信部とを含み、
前記書面情報生成部は、
前記情報送信部により前記他のシステムに送信される前記原稿の画像情報が、当該原稿を構成する第１の原稿用紙の両面のうち片面のみに対応する前記片面単位の画像情報と、当該原稿を構成する第２の原稿用紙の両面の夫々に対応する前記片面単位の画像情報とを含む画像情報である場合に、１枚の前記第２の原稿用紙の両面の夫々に対応する前記片面単位の画像情報に対して、同一の前記読取順情報を関連付けた前記書面情報を生成することを特徴とする画像情報入力システム。
【請求項２】
１枚の前記原稿用紙に対して、当該原稿用紙の両面の夫々が読み取られることにより生成された前記片面単位の画像情報が前記原稿の画像情報に含まれるか、当該原稿用紙の片面のみが読み取られることにより生成された前記片面単位の画像情報が前記原稿の画像情報に含まれるかを判断する第１の判断部を更に含み、
前記書面情報生成部は、
前記第１の判断部により、片面のみが読み取られることにより生成された前記片面単位の画像情報が前記原稿の画像情報に含まれると判断された前記第２の原稿用紙において、１枚の前記第２の原稿用紙の両面夫々から生成された前記片面単位の画像情報に対して、同一の前記読取順情報を関連付けた前記書面情報を生成することを特徴とする請求項１に記載の画像情報入力システム。
【請求項３】
前記原稿用紙の両面夫々に対応する前記片面単位の画像情報が、当該原稿用紙の両面のうち、表面に対応する前記片面単位の画像情報であるか、裏面に対応する前記片面単位の画像情報であるかを判断する第２の判断部を更に含み、
前記書面情報生成部は、
１枚の前記第２の原稿用紙について、前記第２の判断部により判断された、当該第２の原稿用紙の両面のうち、表面に対応する前記片面単位の画像情報及び裏面に対応する前記片面単位の画像情報に対して、当該第２の原稿用紙を識別する同一前記読取順情報を関連付けた前記書面情報を生成し、
当該第２の原稿用紙と異なる前記第２の原稿用紙から生成された前記片面単位の画像情報に対しては、当該読取順情報とは異なる前記読取順情報を関連付けた前記書面情報を生成することを特徴とする請求項１又は２に記載の画像情報入力システム。
【請求項４】
前記原稿を構成する前記１枚以上の原稿用紙の夫々の前記読取順情報を取得する読取順情報取得部を更に含み、
前記読取順情報取得部は、
前記原稿を用紙ごとに識別するための番号を保持しており、前記第１の判断部により判断された結果に基づき、前記原稿用紙の片面のみが読み取られることにより生成された前記片面単位の画像情報について、インクリメントした前記番号を当該片面単位の画像情報に関連付ける前記読取順情報として取得し、前記原稿用紙の両面の夫々が読み取られることにより生成された前記片面単位の画像情報について、前記第２の判断部により判断された結果に基づき、当該片面単位の画像情報が当該原稿用紙の両面のうち表面に対応する前記片面単位の画像情報である場合に、インクリメントした前記番号を当該片面単位の画像情報に関連付ける前記読取順情報として取得し、当該片面単位の画像情報が当該原稿用紙の両面のうち裏面に対応する前記片面単位の画像情報である場合に、インクリメントしない前記番号を当該片面単位の画像情報に関連付ける読取順情報として取得することを特徴とする請求項３に記載の画像情報入力システム。
【請求項５】
前記第２の判断部は、
前記原稿用紙を読み取るときに、前記原稿用紙から読み取られることで生成される前記片面単位の画像情報に対する表面または裏面の指定を、設定画面を介してユーザから受け付けられていた場合には、当該原稿用紙から読み取った前記片面単位の画像情報を、当該ユーザにより指定された面の画像情報と判断することを特徴とする請求項３または４に記載の画像情報入力システム。
【請求項６】
原稿用紙を読み取る複数の原稿読取部を用いて複数回の読取処理を実施し、前記他のシステムに送信する前記原稿の画像情報を取得する場合に、前記複数の原稿読取部のうち第１の原稿読取部から読み取る複数の原稿用紙の間に、前記複数の原稿読取部のうち第２の原稿読取部から読み取る原稿用紙を挿入したときの原稿用紙の順番である第２の読取順情報を、前記原稿用紙を識別する前記読取順情報として取得する設定を、設定画面を介してユーザから受け付ける原稿読取設定部を更に含み、
前記書面情報生成部は、
前記片面単位の画像情報の生成元である前記原稿用紙に対応する前記第２の読取順情報であって、前記原稿読取設定部の設定に基づき、前記第１の原稿読取部から読み取る複数の原稿用紙の間に前記第２の原稿読取部から読み取る原稿用紙を挿入したときの原稿用紙の順番である前記第２の読取順情報を、当該片面単位の画像情報に対して関連付けた前記書面情報を生成することを特徴とする請求項１乃至５の何れか一項に記載の画像情報入力システム。
【請求項７】
１枚以上の原稿用紙から構成される原稿であって、ユーザが指定した前記原稿が当該ユーザの指示に応じて読み取られ、画像情報を扱う他のシステムに対して、読み取られた当該原稿の画像情報を送信する画像情報入力装置であって、
前記原稿が読み取られることにより生成された前記原稿の画像情報を取得する画像情報取得部と、
前記原稿の画像情報において、読み取られた前記１枚以上の原稿用紙の夫々が読み取られる順番を示す読取順情報と、当該原稿用紙が読み取られることにより生成された片面単位の画像情報とを関連付けた書面情報を生成する書面情報生成部と、
前記画像情報と、前記書面情報とを前記他のシステムに送信する情報送信部とを含み、
前記書面情報生成部は、
前記情報送信部により前記他のシステムに送信される前記原稿の画像情報が、当該原稿を構成する第１の原稿用紙の両面のうち片面のみに対応する前記片面単位の画像情報と、当該原稿を構成する第２の原稿用紙の両面の夫々に対応する前記片面単位の画像情報とを含む画像情報である場合に、１枚の前記第２の原稿用紙の両面の夫々に対応する前記片面単位の画像情報に対して、同一の前記読取順情報を関連付けた前記書面情報を生成することを特徴とする画像情報入力装置。
【請求項８】
１枚の前記原稿用紙に対して、当該原稿用紙の両面の夫々が読み取られることにより生成された前記片面単位の画像情報が前記原稿の画像情報に含まれるか、当該原稿用紙の片面のみが読み取られることにより生成された前記片面単位の画像情報が前記原稿の画像情報に含まれるかを判断する第１の判断部を更に含み、
前記書面情報生成部は、
前記第１の判断部により、片面のみが読み取られることにより生成された前記片面単位の画像情報が前記原稿の画像情報に含まれると判断された前記第２の原稿用紙において、１枚の前記第２の原稿用紙の両面夫々から生成された前記片面単位の画像情報に対して、同一の前記読取順情報を関連付けた前記書面情報を生成することを特徴とする請求項７に記載の画像情報入力装置。
【請求項９】
前記原稿用紙の両面夫々に対応する前記片面単位の画像情報が、当該原稿用紙の両面のうち、表面に対応する前記片面単位の画像情報であるか、裏面に対応する前記片面単位の画像情報であるかを判断する第２の判断部を更に含み、
前記書面情報生成部は、
１枚の前記第２の原稿用紙について、前記第２の判断部により判断された、当該第２の原稿用紙の両面のうち、表面に対応する前記片面単位の画像情報及び裏面に対応する前記片面単位の画像情報に対して、当該第２の原稿用紙を識別する同一前記読取順情報を関連付けた前記書面情報を生成し、
当該第２の原稿用紙と異なる前記第２の原稿用紙から生成された前記片面単位の画像情報に対しては、当該読取順情報とは異なる前記読取順情報を関連付けた前記書面情報を生成することを特徴とする請求項７又は８に記載の画像情報入力装置。
【請求項１０】
前記原稿を構成する前記１枚以上の原稿用紙の夫々の前記読取順情報を取得する読取順情報取得部を更に含み、
前記読取順情報取得部は、
前記原稿を用紙ごとに識別するための番号を保持しており、前記第１の判断部により判断された結果に基づき、前記原稿用紙の片面のみが読み取られることにより生成された前記片面単位の画像情報について、インクリメントした前記番号を当該片面単位の画像情報に関連付ける前記読取順情報として取得し、前記原稿用紙の両面の夫々が読み取られることにより生成された前記片面単位の画像情報について、前記第２の判断部により判断された結果に基づき、当該片面単位の画像情報が当該原稿用紙の両面のうち表面に対応する前記片面単位の画像情報である場合に、インクリメントした前記番号を当該片面単位の画像情報に関連付ける前記読取順情報として取得し、当該片面単位の画像情報が当該原稿用紙の両面のうち裏面に対応する前記片面単位の画像情報である場合に、インクリメントしない前記番号を当該片面単位の画像情報に関連付ける読取順情報として取得することを特徴とする請求項９に記載の画像情報入力装置。
【請求項１１】
前記第２の判断部は、
前記原稿用紙を読み取るときに、前記原稿用紙から読み取られることで生成される前記片面単位の画像情報に対する表面または裏面の指定を、設定画面を介してユーザから受け付けられていた場合には、当該原稿用紙から読み取った前記片面単位の画像情報を、当該ユーザにより指定された面の画像情報と判断することを特徴とする請求項９または１０に記載の画像情報入力装置。
【請求項１２】
原稿用紙を読み取る複数の原稿読取部を用いて複数回の読取処理を実施し、前記他のシステムに送信する前記原稿の画像情報を取得する場合に、前記複数の原稿読取部のうち第１の原稿読取部から読み取る複数の原稿用紙の間に、前記複数の原稿読取部のうち第２の原稿読取部から読み取る原稿用紙を挿入したときの原稿用紙の順番である第２の読取順情報を、前記原稿用紙を識別する前記読取順情報として取得する設定を、設定画面を介してユーザから受け付ける原稿読取設定部を更に含み、
前記書面情報生成部は、
前記片面単位の画像情報の生成元である前記原稿用紙に対応する前記第２の読取順情報であって、前記原稿読取設定部の設定に基づき、前記第１の原稿読取部から読み取る複数の原稿用紙の間に前記第２の原稿読取部から読み取る原稿用紙を挿入したときの原稿用紙の順番である前記第２の読取順情報を、当該片面単位の画像情報に対して関連付けた前記書面情報を生成することを特徴とする請求項７乃至請求項１１の何れか一項に記載の画像情報入力装置。
【請求項１３】
１枚以上の原稿用紙から構成される原稿であって、ユーザが指定した前記原稿を当該ユーザの指示に応じて読み取る画像形成装置と、前記画像形成装置により読み取られた前記原稿の画像情報を受信する情報処理装置とを含み、画像情報を扱う他のシステムに対して前記画像形成装置により読み取られた前記原稿の画像情報を送信する画像情報入力方法であって、
前記原稿が読み取られることにより生成された前記原稿の画像情報を取得し、
前記原稿の画像情報において、読み取られた前記１枚以上の原稿用紙の夫々が読み取られる順番を示す読取順情報と、当該原稿用紙が読み取られることにより生成された片面単位の画像情報とを関連付けた書面情報を生成し、
前記画像情報と、前記書面情報とを前記他のシステムに送信し、
前記書面情報の生成に際して、前記他のシステムに送信される前記原稿の画像情報が、当該原稿を構成する第１の原稿用紙の両面のうち片面のみに対応する前記片面単位の画像情報と、当該原稿を構成する第２の原稿用紙の両面の夫々に対応する前記片面単位の画像情報とを含む画像情報である場合に、１枚の前記第２の原稿用紙の両面の夫々に対応する前記片面単位の画像情報に対して、同一の前記読取順情報を関連付けた前記書面情報を生成することを特徴とする画像情報入力方法。
【請求項１４】
１枚以上の原稿用紙から構成される原稿であって、ユーザが指定した前記原稿が当該ユーザの指示に応じて読み取られ、画像情報を扱う他のシステムに対して、読み取られた当該原稿の画像情報を送信する画像情報入力装置としてコンピュータを機能させる画像情報入力プログラムであって、
前記コンピュータに、
前記原稿が読み取られることにより生成された前記原稿の画像情報を取得するステップと、
前記原稿の画像情報において、読み取られた前記１枚以上の原稿用紙の夫々が読み取られる順番を示す読取順情報と、当該原稿用紙が読み取られることにより生成された片面単位の画像情報とを関連付けた書面情報を生成するステップと、
前記画像情報と、前記書面情報とを前記他のシステムに送信するステップとを実行させ、
前記書面情報を生成するステップにおいて、前記他のシステムに送信される前記原稿の画像情報が、当該原稿を構成する第１の原稿用紙の両面のうち片面のみに対応する前記片面単位の画像情報と、当該原稿を構成する第２の原稿用紙の両面の夫々に対応する前記片面単位の画像情報とを含む画像情報である場合に、１枚の前記第２の原稿用紙の両面の夫々に対応する前記片面単位の画像情報に対して、同一の前記読取順情報を関連付けた前記書面情報を生成することを特徴とする画像情報入力プログラム。
【請求項１５】
請求項１４に記載の画像情報入力プログラムを、情報処理装置によって読み取り可能な形式で記録したことを特徴とする記録媒体。
【発明の詳細な説明】
【技術分野】
【０００１】
本発明は、画像情報入力システム、画像情報入力装置、画像情報入力方法、画像情報入力プログラム及び記録媒体に関し、特に、他のシステムにおいて扱われる画像情報を入力する際の他のシステムとの連携性の向上に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な複合機として構成されることが多い。
【０００３】
このような画像処理装置のうち、書類の電子化に用いるスキャナにおいて、用紙の両面に画像が表示された両面原稿と、片面のみに画像が表示された片面原稿とが混載された原稿のスキャンであっても、画像が表示された面のみのページからなる画像を生成する方法が提案されている（例えば、特許文献１参照）
【発明の概要】
【発明が解決しようとする課題】
【０００４】
近年、業務における書類のスキャン処理では、スキャン、情報の付加、ネットワーク配信、格納といった複数の処理が組み合わせられたワークフローが予め設定されており、スキャンによって生成された画像を、そのワークフローに従って処理するシステムが用いられる場合がある。例えば、企業の本社と支店や営業所等との間にネットワークを介したシステムが構築されており、支店や営業所等において生成された契約書や申込書等をスキャンすることによって、自動的に本社のサーバ上に登録されるシステム等である。
【０００５】
このようなシステムを提供する場合、各種の処理を可能な限り自動化しながらも、システムを納入する先の企業における業務システムと連携させることが求められる。各種の処理を可能な限り自動化するという観点においては、複数の書類をまとめて電子化した上で、サーバ等の記憶装置への配信、格納を行うべきであるが、その場合、どの画像がどの書類のどのページであるのかを判断するためには、ユーザが画像を視認して判断する必要がある。
【０００６】
特許文献１に開示された発明においても、処理を自動化することは可能であるが、上記と同様に、どの画像がどの書類のどのページであるのかを容易には判断できない。
【０００７】
本発明は、このような課題を解決するためになされたものであり、複数の種類の書類がまとめてスキャンされて生成された画像であっても、各画像の元となった書類を容易に判断可能とすることを目的とする。
【課題を解決するための手段】
【０００８】
上記課題を解決するために、本発明の一態様は、１枚以上の原稿用紙から構成される原稿であって、ユーザが指定した前記原稿を当該ユーザの指示に応じて読み取る画像形成装置と、前記画像形成装置により読み取られた前記原稿の画像情報を受信する情報処理装置とを含み、画像情報を扱う他のシステムに対して前記画像形成装置により読み取られた前記原稿の画像情報を前記情報処理装置によって送信する画像情報入力システムであって、前記原稿が読み取られることにより生成された前記原稿の画像情報を取得する画像情報取得部と、前記原稿の画像情報において、読み取られた前記１枚以上の原稿用紙の夫々が読み取られる順番を示す読取順情報と、当該原稿用紙が読み取られることにより生成された片面単位の画像情報とを関連付けた書面情報を生成する書面情報生成部と、前記画像情報と、前記書面情報とを前記他のシステムに送信する情報送信部とを含み、前記書面情報生成部は、前記情報送信部により前記他のシステムに送信される前記原稿の画像情報が、当該原稿を構成する第１の原稿用紙の両面のうち片面のみに対応する前記片面単位の画像情報と、当該原稿を構成する第２の原稿用紙の両面の夫々に対応する前記片面単位の画像情報とを含む画像情報である場合に、１枚の前記第２の原稿用紙の両面の夫々に対応する前記片面単位の画像情報に対して、同一の前記読取順情報を関連付けた前記書面情報を生成することを特徴とする。
【発明の効果】
【００１３】
本発明によれば、複数の種類の書類がまとめてスキャンされて生成された画像であっても、各画像の元となった書類を容易に判断可能とすることができる。
【図面の簡単な説明】
【００１４】
【図１】本発明の実施形態に係るシステムの運用形態を示す図である。
【図２】本発明の実施形態に係る画像形成装置のハードウェア構成を模式的に示すブロック図である。
【図３】本発明の実施形態に係る画像形成装置の機能構成を示すブロック図である。
【図４】本発明の実施形態に係るシステムの動作を示すシーケンス図である。
【図５】本発明の実施形態に係る書面情報生成部の動作を示すフローチャートである。
【図６】本発明の実施形態に係る書面情報の例を示す図である。
【図７】本発明の実施形態に係る書面情報の例を示す図である。
【図８】本発明の実施形態に係るディスプレイパネルの表示例を示す図である。
【図９】本発明の実施形態に係るディスプレイパネルの表示例を示す図である。
【発明を実施するための形態】
【００１５】
以下、図面を参照して、本発明の実施形態を詳細に説明する。本実施形態においては、画像処理システムの例として、ネットワークに接続されたスキャナによって読み取られた画像を、同じくネットワークに接続されたサーバに格納する画像入力システムを例として説明する。
【００１６】
図１は、本実施の形態に係るシステムの運用形態の例を示す図である。図１に示すように、本実施形態に係るシステムは、画像形成装置１及びクライアント端末２が接続されたネットワークＡと、データサーバ３が接続されたネットワークＢとが、インターネットや電話回線等の公衆回線５を介して接続されている。本実施形態に係るシステムは、画像形成装置１が原稿を読み取ることによって画像情報を生成し、データサーバ３に格納する画像情報の入力システムとして機能する。
【００１７】
本実施形態において、ネットワークＡ、Ｂは、共に画像入力システムを利用するサービス利用者のネットワークであるが、ネットワークＡは支店や営業所等のネットワークであり、ネットワークＢは、本社やデータセンター等のネットワークである。ネットワークＡ及びネットワークＢは、ルータ等のネットワーク機器を介して公衆回線５に接続されている。
【００１８】
画像形成装置１は、撮像機能、画像形成機能及び通信機能等を備えることにより、プリンタ、ファクシミリ、スキャナ、複写機として利用可能な複合機である。また、画像形成装置１は、予め登録されたワークフローの実行を命令するためのユーザインタフェースとしても機能する。クライアント端末２は、ユーザが操作する情報処理端末であり、ＰＣ（Ｐｅｒｓｏｎａｌ  Ｃｏｍｐｕｔｅｒ）等の情報処理装置によって実現される。
【００１９】
データサーバ３は、画像形成装置１によって処理された画像情報が格納される情報記憶装置のサーバである。即ち、データサーバ３が、また、データサーバ３は、サービス利用者の基幹業務システム等、本実施形態に係る画像形成システムとは別のシステムにも属している。図１に示すような画像入力システムにおいて、データサーバ３が属するサービス利用者のシステムとの連携を考慮することが、本実施形態に係る要旨の１つである。尚、図１においては、データサーバ３が１つの装置によって構成されているが、複数の装置でデータサーバ３の機能を実現してもよい。
【００２０】
次に、本実施形態に係る画像形成装置１、クライアント端末２及びデータサーバ３のハードウェア構成について説明する。図２は、本実施形態に係る画像形成装置１のハードウェア構成を示すブロック図である。尚、画像形成装置１は、図２に示すハードウェア構成に加えて、スキャナ、プリンタ等を実現するためのエンジンを備える。以下の説明においては、画像形成装置１のハードウェア構成を例として説明するが、クライアント端末２及びデータサーバ３についても同様である。
【００２１】
図２に示すように、本実施形態に係る画像形成装置１は、一般的なサーバやＰＣ等と同様の構成を含む。即ち、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２２】
ＣＰＵ１０は演算手段であり、画像形成装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００２３】
Ｉ／Ｆ５０は、バス８０と各種のハードウェアやネットワーク等を接続し制御する。ＬＣＤ６０は、ユーザが画像形成装置１の状態を確認するための視覚的ユーザインタフェースである。操作部７０は、キーボードやマウス等、ユーザが画像形成装置１に情報を入力するためのユーザインタフェースである。尚、図１において説明したように、本実施形態に係るデータサーバ３はサーバとして運用される。従って、ＬＣＤ６０及び操作部７０等のユーザインタフェースは省略可能である。
【００２４】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０の制御に従って動作することにより、ソフトウェア制御部が構成される。このようにして構成されたソフトウェア制御部と、ハードウェアとの組み合わせによって、本実施形態に係る画像形成装置１やデータサーバ３の機能を実現する機能ブロックが構成される。
【００２５】
次に、本実施形態に係る画像形成装置１の機能構成について、図３を参照して説明する。図３は、本実施形態に係る画像形成装置１の機能構成を示すブロック図である。図３に示すように、本実施形態に係る画像形成装置１は、コントローラ１００、ＡＤＦ（Ａｕｔｏ  Ｄｏｃｕｍｅｎｎｔ  Ｆｅｅｄｅｒ：原稿自動搬送装置）１０１、スキャナユニット１０２、排紙トレイ１０３、ディスプレイパネル１０４、給紙テーブル１０５、プリントエンジン１０６、排紙トレイ１０７及びネットワークＩ／Ｆ１０８を有する。
【００２６】
また、コントローラ１００は、主制御部１１０、エンジン制御部１２０、画像処理部１３０、操作表示制御部１４０、入出力制御部１５０及び書面情報生成部１６０を含む。図３に示すように、本実施形態に係る画像形成装置１は、スキャナユニット１０２、プリントエンジン１０６を有する複合機として構成されている。尚、図３においては、電気的接続を実線の矢印で示しており、用紙若しくは文書束の流れを破線の矢印で示している。
【００２７】
ディスプレイパネル１０４は、画像形成装置１の状態を視覚的に表示する出力インタフェースであると共に、タッチパネルとしてユーザが画像形成装置１を直接操作し、若しくは画像形成装置１に対して情報を入力する際の入力インタフェースでもある。即ち、ディスプレイパネル１０４は、ユーザによる操作を受けるための画像を表示する機能を含む。ディスプレイパネル１０４は、図２に示すＬＣＤ６０及び操作部７０によって実現される。本実施形態において、ユーザは、ディスプレイパネル１０４を操作してスキャン及びワークフローの実行を指示する。
【００２８】
ネットワークＩ／Ｆ１０８は、画像形成装置１がネットワークを介してクライアント端末２やデータサーバ３等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。ネットワークＩ／Ｆ１０８は、図２に示すＩ／Ｆ５０によって実現される。また、ネットワークＩ／Ｆ１０８には、ＦＡＸモデムとしての機能も含まれ、画像形成装置１がネットワークを介してＦＡＸ送受信を行うためのインタフェースとしても機能する。
【００２９】
コントローラ１００は、ソフトウェアとハードウェアとの組み合わせによって構成される。具体的には、ＲＯＭ３０や不揮発性メモリ並びにＨＤＤ４０や光学ディスク等の不揮発性記憶媒体に格納されたプログラムが、ＲＡＭ２０等の揮発性メモリ（以下、メモリ）にロードされ、ＣＰＵ１０がそのプログラムに従って動作することにより構成されるソフトウェア制御部と集積回路などのハードウェアとによってコントローラ１００が構成される。コントローラ１００は、画像形成装置１全体を制御する制御部として機能する。
【００３０】
主制御部１１０は、コントローラ１００に含まれる各部を制御する役割を担い、コントローラ１００の各部に命令を与える。エンジン制御部１２０は、プリントエンジン１０６やスキャナユニット１０２等を制御若しくは駆動する駆動手段としての役割を担う。画像処理部１３０は、主制御部１１０の制御に従い、印刷出力すべき画像情報に基づいて描画情報を生成する。この描画情報とは、画像形成部であるプリントエンジン１０６が画像形成動作において形成すべき画像を描画するための情報である。
【００３１】
また、画像処理部１３０は、スキャナユニット１０２から入力される撮像データを処理し、画像データを生成する。この画像データとは、スキャナ動作の結果物として画像形成装置１の記憶領域に格納され若しくはネットワークＩ／Ｆ１０８を介してデータサーバ３に送信される情報である。
【００３２】
操作表示制御部１４０は、ディスプレイパネル１０４に情報表示を行い若しくはディスプレイパネル１０４を介して入力された情報を主制御部１１０に通知する。入出力制御部１５０は、ネットワークＩ／Ｆ１０８を介して入力される情報を主制御部１１０に入力する。また、主制御部１１０は、入出力制御部１５０を制御し、ネットワークＩ／Ｆ１０８及びネットワークを介してクライアント端末２やデータサーバ３等の他の機器にアクセスする。
【００３３】
書面情報生成部１６０は、エンジン制御部１２０による制御に従ってスキャナユニット１０２においてスキャンが実行されて画像が生成される際に、生成された画像の原稿である書類についての情報を生成する。本実施形態に係る書面情報生成部１６０は、複数枚の書類をスキャンすることにより複数の画像が生成される場合に、複数の画像夫々について、元となった原稿を紙毎に識別する情報を生成する。この情報は、データサーバ３が属する他のシステムにおいて、各ページが片面原稿の画像か両面原稿の画像かを判断するための情報として用いられる。
【００３４】
画像形成装置１がプリンタとして動作する場合は、まず、入出力制御部１５０がネットワークＩ／Ｆ１０８を介して印刷ジョブを受信する。入出力制御部１５０は、受信した印刷ジョブを主制御部１１０に転送する。主制御部１１０は、印刷ジョブを受信すると、画像処理部１３０を制御して印刷ジョブに含まれる文書情報若しくは画像情報に基づいて描画情報を生成する。
【００３５】
画像処理部１３０によって描画情報が生成されると、エンジン制御部１２０は、プリントエンジン１０６を制御し、上記生成された描画情報に基づき、給紙テーブル１０５から搬送される用紙に対して画像形成を実行させる。プリントエンジン１０６の具体的態様としては、インクジェット方式による画像形成機構や電子写真方式による画像形成機構等を用いることが可能である。プリントエンジン１０６によって画像形成が施された文書は排紙トレイ１０７に排紙される。
【００３６】
画像形成装置１がスキャナとして動作する場合は、ユーザによるディスプレイパネル１０４の操作若しくはネットワークＩ／Ｆ１０８を介して外部の装置から入力されるスキャン実行指示に応じて、操作表示制御部１４０若しくは入出力制御部１５０が主制御部１１０にスキャン実行信号を転送する。主制御部１１０は、受信したスキャン実行信号に基づき、エンジン制御部１２０を制御する。
【００３７】
エンジン制御部１２０は、ＡＤＦ１０１を駆動し、ＡＤＦ１０１にセットされた撮像対象原稿をスキャナユニット１０２に搬送する。また、エンジン制御部１２０は、スキャナユニット１０２を駆動し、ＡＤＦ１０１から搬送される原稿を撮像する。また、ＡＤＦ１０１に原稿がセットされておらず、スキャナユニット１０２に直接原稿がセットされた場合、スキャナユニット１０２は、エンジン制御部１２０の制御に従い、セットされた原稿を撮像する。即ち、スキャナユニット１０２が撮像部として動作すると共に、エンジン制御部１２０が、読取制御部として機能する。。
【００３８】
撮像動作においては、スキャナユニット１０２に含まれるＣＣＤ等の撮像素子が原稿を光学的に走査し、光学情報に基づいて生成された撮像情報が生成される。エンジン制御部１２０は、スキャナユニット１０２が生成した撮像情報を画像処理部１３０に転送する。画像処理部１３０は、主制御部１１０の制御に従い、エンジン制御部１２０から受信した撮像情報に基づき画像情報を生成する。
【００３９】
画像処理部１３０が生成した画像情報は主制御部１１０が取得し、主制御部１１０がＨＤＤ４０等の画像形成装置１に装着された記憶媒体に保存する。即ち、スキャナユニット１０２、エンジン制御部１２０及び画像処理部１３０が連動して、画像入力部として機能すると共に、主制御部１１０が画像情報取得部として機能する。画像処理部１３０によって生成された画像情報は、ユーザの指示に応じてそのままＨＤＤ４０等に格納され若しくは入出力制御部１５０及びネットワークＩ／Ｆ１０８を介してデータサーバ３等の外部の装置に送信される。
【００４０】
また、画像形成装置１が複写機として動作する場合は、エンジン制御部１２０がスキャナユニット１０２から受信した撮像情報若しくは画像処理部１３０が生成した画像情報に基づき、画像処理部１３０が描画情報を生成する。その描画情報に基づいてプリンタ動作の場合と同様に、エンジン制御部１２０がプリントエンジン１０６を駆動する。尚、描画情報と撮像情報との情報形式が同一である場合は、撮像情報をそのまま描画情報として用いることも可能である。
【００４１】
また、画像形成装置１がファクシミリとして動作する場合は、まず、スキャナ動作の場合と同様に画像処理部１３０によって画像情報が生成される。そして、主制御部１１０が入出力制御部１５０を制御し、ＦＡＸ送信を実行させる。ＦＡＸ送信に際しては、入出力制御部１５０が、主制御部１１０の制御に従い、ネットワークＩ／Ｆ１０８のうちＦＡＸモデムの機能を駆動して指定された送信先に画像を送信する。
【００４２】
このような画像形成装置１を含むシステムにおいて、本実施形態に係る要旨は、スキャン配信によりデータサーバ３に格納される画像情報の、他のシステムとの連携を容易にするための情報を書面情報生成部１６０が生成することにある。以下、本実施形態に係るシステムの動作について説明する。
【００４３】
図４は、本実施形態に係るシステムの動作を示すシーケンス図である。図４に示すように、画像形成装置１においてスキャンが実行されると（Ｓ４０１）、画像形成装置１の書面情報生成部１６０によって書面情報が生成される（Ｓ４０２）。書面情報が生成されると、画像形成装置１は、スキャンにより生成した画像情報及び書面情報をデータサーバ３に送信する（Ｓ４０３）。そして、データサーバ３は、画像形成装置１から送信された情報を受信して格納する（Ｓ４０４）。
【００４４】
次に、画像形成装置１においてスキャンが実行される際に書面情報が生成される動作について、図５を参照して説明する。図５に示すように、エンジン制御部１２０による制御に従ってスキャナユニット１０２において原稿１枚のスキャンが実行されると（Ｓ５０１）、書面情報生成部１６０は、エンジン制御部１２０から情報を取得し、ＡＤＦ１０１にセットされた原稿のスキャンであるか、スキャナユニット１０２の圧板にセットされた原稿のスキャンであるかを判断する（Ｓ５０２）。
【００４５】
上述したように、スキャナユニット１０２によるスキャンは、エンジン制御部１２０による制御に従って実行されるため、エンジン制御部１２０は、実行したスキャンがＡＤＦ１０１にセットされた原稿のスキャンであるか、圧板にセットされた原稿のスキャンであるかを認識している。従って、Ｓ５０２において、エンジン制御部１２０は、スキャナユニット１０２を制御してスキャンを実行させると共に、書面情報生成部１６０に対して、スキャンされた原稿のセット位置を示す情報（以降、原稿セット位置情報とする）を書面情報生成部１６０に入力する。
【００４６】
そして、Ｓ５０２においては、書面情報生成部１６０が、エンジン制御部１２０から入力された原稿セット位置情報に基づいて、ＡＤＦ１０１にセットされた原稿のスキャンであるか、スキャナユニット１０２の圧板にセットされた原稿のスキャンであるかを判断する。即ち、原稿セット位置情報が、原稿のセット位置としてＡＤＦ１０１を示す場合、書面情報生成部１６０は、ＡＤＦ１０１にセットされた原稿のスキャンであると判断する。他方、原稿セット位置情報が、原稿のセット位置としてスキャナユニット１０２の圧板を示す場合、書面情報生成部１６０は、スキャナユニット１０２にセットされた原稿のスキャンであると判断する。尚、原稿セット位置情報としては、例えば１ビットの信号を用いて、信号の“Ｈｉｇｈ”、“Ｌｏｗ”により、ＡＤＦ１０１とスキャナユニット１０２の圧板とを示すことができる。
【００４７】
ＡＤＦ１０１にセットされた原稿のスキャンである場合（Ｓ５０２／ＹＥＳ）、次に、書面情報生成部１６０は、両面スキャンか片面スキャンかを判断する（Ｓ５０３）。一般的なＡＤＦにおいては、用紙を反転させる反転機構が備えられており、自動的に原稿を反転させることにより両面のスキャンが実行される。本実施形態において、書面情報生成部１６０は、エンジン制御部１２０から、片面スキャンか両面スキャンかを示す情報（以降、スキャン面情報とする）を取得することにより、実行されたスキャンが両面スキャンか片面スキャンかを判断する。
【００４８】
即ち、Ｓ５０３において、書面情報生成部１６０は、エンジン制御部１２０から入力されたスキャン面情報に基づいて、両面スキャンか片面スキャンかを判断する。具体的には、スキャン面情報が、片面スキャンを示す場合、書面情報生成部１６０は、片面スキャンであると判断する。他方、スキャン面情報が、両面スキャンを示す場合、書面情報生成部１６０は、両面スキャンであると判断する。尚、スキャン面情報としては、上記原稿セット位置情報と同様に１ビットの信号を用いることができ、信号の“Ｈｉｇｈ”、“Ｌｏｗ”により、両面スキャンと片面スキャンとを示すことができる。
【００４９】
Ｓ５０３においても、Ｓ５０２と同様に、エンジン制御部１２０が書面情報生成部１６０に対して、実行されたスキャンが両面スキャンであるか片面スキャンであるかを示す情報及び両面スキャンである場合は、表面のスキャンであるか裏面のスキャンであるかを示す情報を入力する。実行されたスキャンが両面スキャンであった場合（Ｓ５０３／ＹＥＳ）、書面情報生成部１６０は、今回のスキャンが表面のスキャンか、裏面のスキャンかを判断する（Ｓ５０４）。本実施形態に係る書面情報生成部１６０は、スキャンされる原稿を紙毎に識別するための書面番号をカウントしている。そして、スキャンに際して、原稿が変わる毎に書面番号をインクリメントして保存する。即ち、表面のスキャンであれば（Ｓ５０４／ＹＥＳ）、原稿が変わったことを認識し、保持している書面番号をインクリメントする（Ｓ５０５）。
【００５０】
他方、裏面のスキャンであれば（Ｓ５０４／ＮＯ）、原稿は変わっていないので、書面情報生成部１６０は、書面番号をそのまま維持する（Ｓ５０６）。Ｓ５０５若しくはＳ５０６の処理が完了すると、書面情報生成部１６０は、保持している書面番号を、スキャンによって生成された画像の元となる原稿を識別するための情報として保存する（Ｓ５０７）。即ち、書面情報生成部１６０が、原稿識別情報取得部として機能する。尚、Ｓ５０７において書面情報生成部１６０が書面番号を保存する先は、ＲＡＭ２０である。
【００５１】
Ｓ５０７において、書面情報生成部は、Ｓ５０１のスキャンによって生成された画像を指定する情報と関連付けて書面番号を保存する。このスキャンによって生成された画像を指定する情報は、スキャンの方式によって異なる。詳細は後述する。このように、書面番号と画像を指定する情報とが関連付けられた情報が、書面情報として用いられる。即ち、書面情報生成部１６０は、スキャンによって生成された画像情報と、画像情報夫々について取得された書面番号とを関連付けてＲＡＭ２０に出力する情報出力部としても機能する。
【００５２】
Ｓ５０７の処理の後、ＡＤＦ１０１やスキャナユニット１０２の圧板にセットされた全ての原稿についてスキャンが完了していれば（Ｓ５０８／ＹＥＳ）、そのまま処理を終了し、完了していなければ（Ｓ５０８／ＮＯ）、Ｓ５０１からの処理を繰り返す。このような処理により、本実施形態に係る書面情報の生成動作が完了する。即ち、書面情報生成部１６０が、情報出力部として機能する。
【００５３】
図６は、図５の動作によって生成される書面情報の例を示す図である。図６においては、ＰＤＦ（Ｐｏｒｔａｂｌｅ  Ｄｏｃｕｍｅｎｔ  Ｆｏｒｍａｔ）形式のように、１つのファイルにおいて複数ページの画像が含まれるマルチページの画像情報に対応して生成される書面情報を例としている。図６に示すように、本実施形態に係る書面情報においては、対象とする画像情報のページを示す“ページ番号”と、画像情報の元となる原稿を紙毎に識別するための“書面番号”とが関連付けられている。
【００５４】
図６の例において、１ページ目である“ｐａｇｅ０１”の書面番号は“１”であり、２ページ目である“ｐａｇｅ０２”の書面番号も“１”である。従って、“ｐａｇｅ０１”及び“ｐａｇｅ０２”の画像は、同一の原稿の表面及び裏面の画像であることが示される。他方、書面番号が“２”及び“３”であるページ番号は夫々“ｐａｇｅ０３”、“ｐａｇｅ０４”の１ページずつである。従って、“ｐａｇｅ０３”及び“ｐａｇｅ０４”の画像は、夫々異なる原稿の片面の画像であることが示される。
【００５５】
尚、図６に示す態様の他、同一の原稿の表裏を示すために、“１ａ”、“１ｂ”等のように記号を付しても良い。これにより、後段のシステムにおいて、容易に原稿の表面か裏面かを判断することが可能となる。
【００５６】
図７は、ＪＰＥＧ（Ｊｏｉｎｔ  Ｐｈｏｔｏｇｒａｐｈｉｃ  Ｅｘｐｅｒｔｓ  Ｇｒｏｕｐ）形式のように、１つのファイルにおいて１ページの画像を示すシングルページ方式の画像情報に対応して生成される書面情報の例を示す図である。図７の例の場合、図６の“ページ番号”ではなく、“ファイル名”と“書面番号”とが関連付けられている。シングルページ方式で複数ページの原稿をスキャンする場合、“ｉｍｇ００１”、“ｉｍｇ００２”、“ｉｍｇ００３”・・・のように、画像データのファイル名が付与される態様が一般的である。従って、シングルページ方式に対応する書面情報においては、１ページ目から順番にファイル名が指定され、そのファイル名によって指定される画像のスキャンに際して保存された書面番号が関連付けられている。
【００５７】
図６、図７に示すような書面情報が、スキャンによって生成された画像情報と共にデータサーバ３に格納されることにより、データサーバ３及びデータサーバ３が属する他のシステムにおいては、スキャンによって生成された画像が両面スキャンによって生成された画像なのか、片面スキャンによって生成された画像なのかを容易に判断することが可能となる。また、シングルページ、マルチページいずれの方式であっても、複数ページの画像が生成された場合においては、画像の元である原稿を紙毎に識別することが可能となる。尚、図６、図７に示すような情報は、例えばＸＭＬ（ｅＸｔｅｎｓｉｂｌｅ  Ｍａｒｋｕｐ  Ｌａｎｇｕａｇｅ）形式の情報等で生成することができる。
【００５８】
以上説明したように、本実施形態に係るシステムにおいては、スキャンを実行する画像形成装置１が、スキャンによって生成した画像情報の元である原稿を紙毎に識別する書面情報を生成し、生成した画像情報と共に配信する。これにより、複数の種類の書類がまとめてスキャンされて生成された画像であっても、各画像の元となった書類を容易に判断可能とすることができる。
【００５９】
夫々の画像情報について情報を付加する方法としては、上記実施形態のように画像情報とは別のデータを生成する場合の他、画像情報にメタデータとして若しくは電子透かしの技術を用いて埋め込む方法が考えられる。そのような場合、生成された画像を扱う後段のシステム（上記実施形態においては、データサーバ３が属するシステム）側においても、メタデータや電子透かし等の解析処理が必要となる。
【００６０】
これに対して、後段のシステムに応じてテキストデータ等の単純な形式のデータとして、画像情報とは別に書面情報を生成して格納しておけば、後段のシステムにおいて容易に参照することが可能となり、異なるシステムとの連携を容易に行うことができる。
【００６１】
また、上記実施形態においては、図５のＳ５０２において説明したように、スキャナユニット１０２の圧板にセットされた原稿のスキャンの場合は、片面スキャンとして処理する場合を例として説明した。しかしながら、両面の原稿を圧板にセットしてスキャンを行う場合もあり得る。
【００６２】
例えば、契約書等の重要書類や、薄紙等のローラによる搬送に適さない用紙の原稿等は、両面原稿であっても、ＡＤＦ１０１ではなくスキャナユニット１０２の圧板にセットしてスキャンをすることが考えられる。その場合において、両面であることを後段のシステムに伝えたい場合もある。しかしながら、圧板にセットしてスキャンをする場合、ユーザが手動で用紙を反転させてスキャンを行うため、通常の操作によるスキャンでは、エンジン制御部１２０及び書面情報生成部１６０が表面のスキャン裏面のスキャンかを判断することができない。
【００６３】
これに対して、図８に示すように、操作表示制御部１４０が、ディスプレイパネル１０４の表示画面上に表面のスキャンか、裏面のスキャンを選択するための画面を表示させ、ユーザが表面／裏面を選択することにより、実行されたスキャンが表面のスキャンであるか裏面のスキャンであるかを、主制御部１１０が操作表示制御部１４０を介して認識することができる。そして、主制御部１１０が、上記表面／裏面の認識結果（以降、スキャン面指定情報とする）を書面情報生成部１６０に入力することにより、書面情報生成部１６０は、スキャナユニット１０２の圧板におけるスキャンであっても、表面／裏面を判断することが可能となる。
【００６４】
このような場合であっても、図５と同様のフローにより処理が実行される。ここで、図８に示すようにユーザによって表面／裏面が選択された場合、図５のＳ５０４の処理において、書面情報生成部１６０は、主制御部１１０から入力された上記スキャン面指定情報に基づき、表面のスキャンであるか、裏面のスキャンであるかを判断する。即ち、スキャン面指定情報において、表面が指定されていれば、書面情報生成部１６０は、表面のスキャンであると判断する。他方、スキャン面指定情報において、裏面が指定されていれば、書面情報生成部１６０は、裏面のスキャンであると判断する。
【００６５】
図８の例の場合、両面スキャンであることや、スキャナユニット１０２の圧板におけるスキャンであることが前提となる。従って、図５のＳ５０２において、書面情報生成部１６０は、上記スキャン面指定情報が入力された場合、自動的にスキャナユニット１０２の圧板のスキャンであることを認識することができる。同様に、図５のＳ５０３において、書面情報生成部１６０は、自動的に両面スキャンであることを認識することができる。このような処理により、図５のＳ５０２、Ｓ５０３の処理を省略することが可能となり、ＡＤＦ１０１におけるスキャンか、スキャナユニット１０２の圧板におけるスキャンかに関わらず、スキャンによって生成された画像情報の元である原稿を紙毎に識別する書面情報を生成することが可能となる。尚、図８の例においては、操作表示制御部１４０が、スキャンによって読み取られる原稿が表面か裏面かをユーザが指定するための画面を表示させる画面表示制御部として機能する。
【００６６】
また、上記実施形態においては、ＡＤＦ１０１でのスキャンと、スキャナユニット１０２の圧板でのスキャンとが混在する場合、ユーザが手動で原稿をセットし直してスキャンを行うことが前提となっており、その点ではユーザにとって手間となる。これに対して、ＡＤＦ１０１及び圧板の両方に原稿をセットした状態で、自動的にスキャンを実行することができれば、ユーザの手間を軽減することができる。
【００６７】
このような場合、ＡＤＦ１０１及び圧板の夫々からスキャンをする枚数及びその順番を、予めユーザが入力した上でスキャンを開始することにより、エンジン制御部１２０は、入力された情報に従って、ＡＤＦ１０１及び圧板の夫々から原稿を選択して自動的にスキャンを実行することが可能となる。そのような情報の入力画面の例を、図９に示す。
【００６８】
図９は、ＡＤＦ１０１及び圧板夫々に原稿をセットする混載スキャンにおいて、オブション項目の入力画面のＧＵＩが表示されたディスプレイパネル１０４の例を示す図である。図９に示すように、混載スキャンのオプション項目入力画面においては、ＡＤＦ１０１か圧板かを示す“原稿位置”、“両面／片面”、“枚数”の情報を、スキャンをする順番に上から入力する。図９の例の場合、ＡＤＦ１０１にセットされた原稿を両面スキャンで５枚スキャンした後、圧板にセットされた原稿を片面スキャンで１枚スキャンし、更にＡＤＦ１０１にセットされた原稿を両面スキャンで２枚スキャンする。
【００６９】
図９の例の場合、圧板でのスキャンが片面の１枚のみであるため、ユーザによる原稿の交換等が必要なく、最後まで自動的にスキャンを実行することが可能であり、ユーザの手間を大きく軽減することが可能である。また、圧板でのスキャンが両面の場合や、複数枚の場合であっても、図９に示すように予めスキャンの順序と枚数を入力しておけば、ＡＤＦ１０１においてスキャンする５枚及び２枚を、まとめてＡＤＦ１０１にセットしておくことができる。従って、最初ＡＤＦ１０１に５枚の原稿をセットしてスキャンを実行し、圧板でのスキャンを終えた後にＡＤＦ１０１に２枚の原稿をセットするような手間を省略することができる。
【００７０】
図９に示すような画面において入力された“原稿位置”、“両面／片面”、“枚数”及びスキャンの順番の情報（以降、スキャン設定情報とする）は、主制御部１１０が操作表示制御部１４０を介して取得する。そして、主制御部１１０は、取得したスキャン設定情報をエンジン制御部１２０に入力する。これにより、エンジン制御部１２０が、ＡＤＦ１０１及びスキャナユニット１０２を制御して、図９に示すような画面においてユーザにより設定された通りのスキャンを実行することが可能となる。
【００７１】
また、上記スキャン設定情報は、書面情報生成部１６０にも入力され、書面情報の生成動作においても用いられる。このような場合であっても、図５と同様のフローにより処理が実行される。図５のＳ５０１において、書面情報生成部１６０は、上記スキャン設定情報のうち“原稿位置”の情報に基づいてＡＤＦ原稿のスキャンであるか否かを判断する。また、Ｓ５０３において、書面情報生成部１６０は、上記スキャン設定情報のうち、“両面／片面”の情報に基づいて、両面スキャンであるか否かを判断する。
【００７２】
図９に示すような例の場合、書面情報生成部１６０は、図５のＳ５０４〜Ｓ５０７に示すような処理を実行することなく、ユーザによって図９に示すような入力された情報に基づいて書面情報を生成することが可能となる。即ち、ユーザによって入力された情報が、スキャン順序の判断によるユーザの手間の軽減という課題と、上記実施形態における書面情報の生成という課題との２つの課題に対応するため、相乗的な効果を得ることができる。
【００７３】
また、上記実施形態においては、画像形成装置１からデータサーバ３に対して直接画像情報及び書面情報を送信する場合を例として説明した。この他、ＯＣＲ（Ｏｐｔｉｃａｌ  Ｃｈａｒａｃｔｅｒ  Ｒｅｃｏｇｎｉｔｉｏｎ）や、画像情報形式の変換等、画像処理を実現するサーバを経由してデータサーバ３に画像が格納される場合もあり得る。そのような場合であっても、上記実施形態を適用することにより、同様の効果を得ることが可能である。その際、画像処理の対象とはならない書面情報については、画像形成装置１からデータサーバ３に直接送信しても良いし、画像情報と共に他のサーバを経由しても良い。
【符号の説明】
【００７４】
１  画像形成装置、
２  クライアント端末、
３  データサーバ、
１０  ＣＰＵ、
２０  ＲＡＭ、
３０  ＲＯＭ、
４０  ＨＤＤ、
５０  Ｉ／Ｆ、
６０  ＬＣＤ、
７０  操作部、
８０  バス、
１００  コントローラ、
１０１  ＡＤＦ、
１０２  スキャナユニット、
１０３  排紙トレイ、
１０４  ディスプレイパネル、
１０５  給紙テーブル、
１０６  プリントエンジン、
１０７  排紙トレイ、
１０８  ネットワークＩ／Ｆ、
１１０  主制御部、
１２０  エンジン制御部、
１３０  画像処理部、
１４０  操作表示制御部、
１５０  入出力制御部、
１６０  書面情報生成部
【先行技術文献】
【特許文献】
【００７５】
【特許文献１】特開２００２−２２９３９１号公報
【図１】
0005821186.tif 000002
【図２】
0005821186.tif 000003
【図３】
0005821186.tif 000004
【図４】
0005821186.tif 000005
【図５】
0005821186.tif 000006
【図６】
0005821186.tif 000007
【図７】
0005821186.tif 000008
【図８】
0005821186.tif 000009
【図９】
0005821186.tif 000010